(57)【特許請求の範囲】
【請求項１】
透析液を供給する透析液供給手段と、複数の透析用監視手段とを備えた透析システムにおいて、
透析液供給手段に接続されて透析液を流通させる透析液通路と、この透析液通路より分岐して各透析用監視手段に接続される透析液分岐通路と、上記透析液通路の下流端に設けた流量調整弁と、
熱水を供給する熱水供給手段と、この熱水供給手段に接続されて熱水を流通させる熱水通路と、この熱水通路より分岐して透析液分岐通路に接続される熱水分岐通路と、
上記透析液分岐通路に対応して設けられ、各透析液分岐通路における透析液の流通と、熱水の流通とを切り換えて、上記透析用監視手段に透析液または熱水のいずれかを供給する切換手段とを備え、
上記透析液通路に透析液が供給されている間、上記透析液通路の下流端から上記流量調整弁によって常時少量の透析液を排出して、かつ上記熱水通路をループ配管として、熱水を循環させることを特徴とする透析システム。
【請求項２】
透析液を供給する透析液供給手段と、複数の透析用監視手段とを備えた透析システムにおいて、
透析液供給手段に接続されて透析液を流通させる透析液通路と、この透析液通路より分岐して各透析用監視手段に接続される透析液分岐通路と、上記透析液通路の下流端に設けた流量調整弁と、
洗浄液を供給する洗浄液供給手段と、この洗浄液供給手段に接続されて洗浄液を流通させる洗浄液通路と、この洗浄液通路より分岐して各透析液分岐通路に接続される洗浄液分岐通路と、
すすぎ水を供給するすすぎ水供給手段と、このすすぎ水供給手段に接続されてすすぎ水を流通させるすすぎ水通路と、このすすぎ水通路より分岐して上記各透析液分岐通路に接続されるすすぎ水分岐通路と、
上記各透析液分岐通路に対応して設けられ、各透析液分岐通路における透析液の流通と、洗浄液の流通と、すすぎ水の流通とを切り換えて、上記透析用監視手段に透析液または洗浄液またはすすぎ水のいずれかを供給する切換手段とを備え、
上記透析液通路に透析液が供給されている間、上記透析液通路の下流端から上記流量調整弁によって常時少量の透析液を排出して、かつ上記すすぎ水通路をループ配管として、すすぎ水を循環させることを特徴とする透析システム。
【請求項３】
上記透析液通路は透析用監視手段の台数に応じて分岐し、この分岐した透析液通路からそれぞれ１本ずつ透析液分岐通路を分岐させて各透析用監視手段に接続し、上記分岐した透析液通路が再び合流することを特徴とする請求項１または請求項２のいずれかに記載の透析システム。
【発明の詳細な説明】
【技術分野】
【０００１】
本発明は透析システムに関し、詳しくは透析液を供給する透析液供給手段と、複数の透析用監視手段とを備えた透析システムに関する。
【背景技術】
【０００２】
従来、複数の患者に対して同時に人工透析治療を行うため、複数台の透析用監視手段を備えるとともに、各透析用監視手段に透析液を供給する透析液供給手段を備えた透析システムが用いられている。
各透析用監視手段において透析治療を行う時間は患者の体調や病状等によって異なるため、全ての透析用監視手段が一斉に透析治療を終了することはない。
そこで、一部の透析用監視手段で透析治療が終了した場合には、他の透析用監視手段で透析治療が行われていても、この透析用監視手段のみを洗浄して各透析用監視手段の稼働率を向上させるようにした透析システムが知られている。（特許文献１）
この特許文献１の透析システムでは、各透析用監視手段のそれぞれに、透析液供給手段を経ることなく洗浄液を供給する洗浄液供給源と、水を供給する水供給源とが接続され、透析用監視手段での透析治療が終了したら、該透析用監視手段に洗浄液を供給して洗浄し、さらに洗浄成分が残留しないように水洗により十分にすすぎ流すようになっている。
【特許文献１】実公平６−２８１２８号公報
【発明の開示】
【発明が解決しようとする課題】
【０００３】
しかしながら、上記特許文献１の透析システムの場合、上記水供給源から各透析用監視手段に個別に水を供給するための通路では、透析用監視手段が透析治療を行っている間は水が停滞するため、水が静置されることで配管内にバイオフィルム等の雑菌が発生して繁殖するおそれがあった。特に、上記水供給源が透析治療を実施する透析室とは別室に設置された場合、給水のための通路が長くなることから、雑菌の温床となるおそれがあった。
このような問題に鑑み、透析治療が終了した透析用監視手段ごとに洗浄および消毒を実施することが可能であって、各透析用監視手段を個別に洗浄するために設けた洗浄用の配管内で雑菌が発生し繁殖することを回避することが可能な透析システムを提供するものである。
【課題を解決するための手段】
【０００４】
すなわち、請求項１における透析システムは、透析液を供給する透析液供給手段と、複数の透析用監視手段とを備えた透析システムにおいて、
透析液供給手段に接続されて透析液を流通させる透析液通路と、この透析液通路より分岐して各透析用監視手段に接続される透析液分岐通路と、上記透析液通路の下流端に設けた流量調整弁と、
熱水を供給する熱水供給手段と、この熱水供給手段に接続されて熱水を流通させる熱水通路と、この熱水通路より分岐して透析液分岐通路に接続される熱水分岐通路と、
上記透析液分岐通路に対応して設けられ、各透析液分岐通路における透析液の流通と、熱水の流通とを切り換えて、上記透析用監視手段に透析液または熱水のいずれかを供給する切換手段とを備え、
上記透析液通路に透析液が供給されている間、上記透析液通路の下流端から上記流量調整弁によって常時少量の透析液を排出して、かつ上記熱水通路をループ配管として、熱水を循環させることを特徴としている。
【０００５】
また請求項２における透析システムは、透析液を供給する透析液供給手段と、複数の透析用監視手段とを備えた透析システムにおいて、
透析液供給手段に接続されて透析液を流通させる透析液通路と、この透析液通路より分岐して各透析用監視手段に接続される透析液分岐通路と、上記透析液通路の下流端に設けた流量調整弁と、
洗浄液を供給する洗浄液供給手段と、この洗浄液供給手段に接続されて洗浄液を流通させる洗浄液通路と、この洗浄液通路より分岐して各透析液分岐通路に接続される洗浄液分岐通路と、
すすぎ水を供給するすすぎ水供給手段と、このすすぎ水供給手段に接続されてすすぎ水を流通させるすすぎ水通路と、このすすぎ水通路より分岐して上記各透析液分岐通路に接続されるすすぎ水分岐通路と、
上記各透析液分岐通路に対応して設けられ、各透析液分岐通路における透析液の流通と、洗浄液の流通と、すすぎ水の流通とを切り換えて、上記透析用監視手段に透析液または洗浄液またはすすぎ水のいずれかを供給する切換手段とを備え、
上記透析液通路に透析液が供給されている間、上記透析液通路の下流端から上記流量調整弁によって常時少量の透析液を排出して、かつ上記すすぎ水通路をループ配管として、すすぎ水を循環させることを特徴としている。
【発明の効果】
【０００６】
上記請求項１の発明によれば、熱水を循環させることで熱水の温度を維持することができるため、熱水により透析治療の終了した各透析用監視手段ごとの洗浄および消毒を行うことができ、この熱水によって熱水通路内に雑菌が発生し繁殖することを回避できる。
さらに、洗浄液を使用せずに各透析用監視手段ごとの洗浄および消毒を行うため、洗浄成分の残留のおそれはなくすすぎのための水洗作業が不要となることから、透析システムの稼働率を向上させることができる。
【０００７】
上記請求項２の発明によれば、すすぎ水通路内ですすぎ水が循環するため、該すすぎ水通路内で雑菌が発生し繁殖することを回避できる。
【発明を実施するための最良の形態】
【０００８】
以下、図示実施例について説明すると、図１は本発明にかかる第１実施例の透析システム１を示し、この透析システム１は複数の患者に同時に透析治療を行うよう構成されている。
この透析システム１には、複数の透析用監視手段２と、各透析用監視手段２に透析液を供給する透析液供給手段３と、各透析用監視手段２での透析治療の終了後にこれを個別に洗浄するための熱水を供給する熱水供給手段４と、上記透析液供給手段３および熱水供給手段４に浄水を供給する浄水供給手段５と、各透析用監視手段２に上記透析液または熱水のいずれかを切り換えて供給する切換手段としての三方弁６とが備えられ、各動作は図示しない制御手段によって制御されるようになっている。
上記透析液供給手段３には透析液を流通させる透析液通路７が接続され、該透析液通路７には各透析用監視手段２に向けて分岐させた透析液分岐通路８が接続されている。
上記熱水供給手段４には熱水を流通させる熱水通路９が接続され、該熱水通路９には各透析用監視手段２に向けて分岐されるとともに、各透析液分岐通路８に設けた上記三方弁６に接続される熱水分岐通路１０が接続されている。
上記浄水供給手段５には浄水を流通させる浄水通路１２が接続され、該浄水通路１２は分岐されるとともに、上記透析液供給手段３と熱水供給手段４とのそれぞれに接続されている。
各透析用監視手段２には排液通路１３が接続されるとともに、該排液通路１３は合流して排液するようになっている。
そして、本実施例の透析システム１において、上記透析液供給手段３、熱水供給手段４、浄水供給手段５は、透析用監視手段２により人工透析が実施される透析室とは別室に設置されており、上記透析液通路７および熱水通路９は建物の壁や天井裏、床下などの内部空間Ｗに敷設された配管として構成されている。
【０００９】
上記透析液供給手段３は、透析液の原液としてのＡ原液を貯留するＡ原液タンク１４と、同じく透析液の原液としてのＢ原液を貯留するＢ原液タンク１５と、洗浄液の原液を貯留する洗浄液タンク１６とを備えている。
透析液供給手段３は上記Ａ原液およびＢ原液と上記浄水供給手段５からの浄水とを混合して透析液を調整し、この透析液を上記透析液通路７および透析液分岐通路８を介して各透析用監視手段２に供給するようになっている。
一方、全ての透析用監視手段２で透析治療が終了した際、透析液供給手段３は上記洗浄液の原液と浄水供給手段５からの浄水とを混合して洗浄液を調整し、この洗浄液を上記透析液通路７および透析液分岐通路８を介して全ての透析用監視手段２に供給し、一斉に透析システム１全体の洗浄を行うことができるようになっている。
上記透析液通路７の下流端には流量調整弁１７および開閉弁１８が設けられており、透析液通路７に透析液が供給されている間、上記開閉弁１８が開放されるとともに、流量調整弁１７が透析液の流量を絞ることで、少量の透析液の排液が常時行われるようになっている。
このように常時透析液を排出することで、透析液通路７内の透析液の流通が停滞することはなく、透析液通路７内での雑菌の発生を防止し、また透析液の成分が透析液通路７内に付着してしまうことを防止できる。
【００１０】
上記熱水供給手段４は、図２に示すように上記浄水供給手段５に接続された浄水通路１２から浄水が供給される浄水タンク２１と、この浄水タンク２１内の浄水を加熱する加熱手段２２と、浄水タンク２１内から熱水を送液する送液ポンプ２３とを備えている。
上記熱水通路９は図１に示すように末端同士が連通するループ配管となっており、一端が上記浄水タンク２１の下面に接続され、他端は浄水タンク２１の上部に接続されて、浄水タンク２１を含めて循環流路を形成している。
このため上記浄水タンク２１から送液ポンプ２３により送液された熱水は、熱水通路９を流通して再び浄水タンク２１に還流するようになっている。
透析用監視手段２の内部回路を消毒するには、８０℃以上の熱水を１０分間以上流通させることが要求され、このため加熱手段２２は浄水タンク２１内の浄水を熱水通路９内で８０℃以上を維持するように加熱するようになっている。
以上のように、浄水タンク２１内の浄水を加熱手段２２で加熱し、これをループ配管からなる熱水通路９で循環させることで、洗浄用の熱水の温度を所定温度範囲に維持するとともに、熱水を所要時にすぐに使用することができる。また、熱水を使用する場所が熱水供給手段４の設置場所から離れていても、必要な温度の熱水を供給することができる。
なお、熱水通路９から分岐した熱水分岐通路１０は、透析液供給手段２で透析治療を行っている間は、熱水の流通がなく温度の低い浄水が停滞した状態となるため、上記熱水分岐通路１０の全長は極力短くすることが望ましく、熱水分岐通路１０に停滞する浄水の量を極力少なくすることが望ましい。
【００１１】
以下、上記構成を有する透析システム１の動作について説明する。
まず、透析液供給手段３においては、浄水供給手段５で清浄化された浄水が供給され、これにＡ原液、Ｂ原液が混合されて各透析用監視装置２で使用される透析液が連続的に調整される。
透析液供給手段３から供給される透析液は透析液通路７を流通し、各透析液分岐通路８を流通して上記透析用監視手段２に供給される。
このとき、透析液通路７の端部に設けた開閉弁１８は開放されており、また流量調整弁１７で流量を絞って常時少量ずつ透析液を排出させることで、透析液通路７内での透析液の停滞を防止するようになっている。
一方、熱水供給手段４では、浄水供給手段５から供給される浄水を上記浄水タンク２１で上記加熱手段２２によって加熱し、送液ポンプ２３により上記熱水通路９に供給している。
熱水通路９はループ配管となっていることから、流通する熱水は熱水通路９を循環して浄水タンク２１に還流し、再加熱されるようになっており、熱水通路９内の熱水の温度が低下せず、所定温度に保温されるようになっている。
その結果、熱水通路９内にバイオフィルム等の雑菌が繁殖することは防止され、また、透析治療が終了した透析用監視手段２に対して順次上記熱水分岐通路１０を介して直ちに熱水を供給することができる。
なお、透析治療を行う間、各三方弁６は透析液通路７と各透析用監視手段２とを接続するよう各透析液分岐通路８を連通させており、熱水分岐通路１０から透析液液分岐通路８への熱水の流入を阻止している。
【００１２】
透析治療が終了した透析用監視手段２ごとに洗浄および消毒を実施する場合は、透析治療を終了した透析用監視手段２に対応する三方弁６を切り換えて、熱水分岐通路１０を透析液分岐通路８へ接続する。
これにより、対応する透析用監視手段２と透析液通路７との連通は遮断され、熱水通路９の熱水が熱水分岐通路１０を介して透析用監視手段２に供給され、透析用監視手段２の内部回路を熱水が流通して、透析用監視手段２の洗浄および消毒が行われる。そして、透析用監視手段２の内部回路内を流通した熱水は排液通路１３を介して排出される。
透析用監視手段２の内部回路の洗浄が終了すると、三方弁６を切り換えて透析液分岐通路８を介して透析液通路７の透析液を透析用監視手段２に供給し、再び該透析用監視手段２において透析治療を行うことが可能となる。
そして全ての透析用監視手段２で透析治療が終了すると、上記透析液供給手段３は洗浄液を調整し、全ての透析用監視手段２を対象に洗浄液を用いた洗浄および消毒を行う。
【００１３】
図３は本発明にかかる第２実施例の透析システム１０１を示し、以下の説明において、上記第１実施例と共通する構成については第１実施例で使用した符号に１００を加算して説明する。
透析システム１０１は、複数の透析用監視手段１０２と、透析液を供給する透析液供給手段１０３と、熱水を供給する熱水供給手段１０４と、これら透析液供給手段１０３および熱水供給手段１０４に浄水を供給する浄水供給手段１０５と、透析用監視手段１０２に透析液または熱水のいずれかを切り換えて供給する切換手段としての三方弁１０６とを備えている。
なお、本実施例における透析用監視手段１０２、透析液供給手段１０３、熱水供給手段１０４の構成は上記第１実施例のものと同一の構成を有しており、詳細な説明は省略する。
【００１４】
本実施例の透析液通路１０７は、透析用監視手段１０２の台数に応じた数に分岐され、分岐した各透析液通路１０７からそれぞれ１本ずつ透析液分岐通路１０８が分岐されて、各透析用監視手段１０２に接続されている。
より具体的には、上記透析液供給手段１０３に接続された透析液通路１０７は最初に２方向に分岐され、その後さらに備えられている透析用監視手段１０２の台数に応じて分岐されている。
分岐された透析液通路１０７は再び合流し、さらに２方向に分岐した透析液通路１０７が合流するようになっており、この透析液通路１０７の最終合流位置よりも下流側には流量調整弁１１７および開閉弁１１８が設けられている。
各透析液分岐通路１０８には三方弁１０６が設けられ、この三方弁１０６を介して透析液分岐通路１０８は連通され、透析液通路１０７と各透析用監視手段１０２が接続されるようになっている。
一方、上記熱水供給手段１０４に接続された熱水通路１０９はループ配管となっており、この熱水通路１０９からは各透析液分岐通路１０８に向けて熱水分岐通路１１０が分岐され、それぞれ上記三方弁１０６と接続されている。
【００１５】
上記構成を有する透析システム１０１の動作においては、透析液供給手段１０３から供給された透析液は、透析液通路１０７を流通して各透析液分岐通路１０８を介して上記透析用監視手段１０２に供給されるようになっている。
また、この状態から三方弁１０６を切り換えることにより、透析液通路１０７と透析用監視手段１０２の連通を遮断し、熱水分岐通路１１０を透析液分岐通路１０８に接続して透析用監視手段１０２に熱水を供給して洗浄および消毒を実施できるようになっている。
このように、透析液通路１０７を透析用監視手段１０２の台数に応じて分岐させることで、各透析液通路１０７間で均等に透析液の流量を確保することができ、各透析用監視手段１０２に安定して透析液の供給を行うことができる。
【００１６】
図４は本発明についての第３実施例にかかる透析システム２０１を示したものであり、以下の説明において、上記第１実施例と共通する構成については第１実施例で使用した符号に２００を加算して説明する。
透析システム２０１は、複数の透析用監視手段２０２と、透析液を供給する透析液供給手段２０３と、透析治療の終了後に各透析用監視手段２０２を個別に洗浄するための洗浄液供給手段２３１と、透析液供給手段２０３および洗浄液供給手段２３１に浄水を供給するとともに、洗浄液をすすぐためのすすぎ水として浄水を供給する、すすぎ水供給手段として構成される浄水供給手段２０５と、透析用監視手段２０２に透析液、洗浄液、浄水のいずれかを切り換えて供給する切換手段２３２とを備えている。
なお、本実施例における透析用監視手段２０２、透析液供給手段２０３の構成は上記第１実施例のものと同一の構成を有しており、詳細な説明は省略する。
【００１７】
上記浄水供給手段２０５には水道水が供給され、浄水供給手段２０５は水道水を清浄化して浄水を製造するようになっている。このような浄水供給手段２０５の構成は上記第１実施例の浄水供給手段５と共通となっている。
浄水供給手段２０５には浄水を流通させる浄水通路２１２が接続され、この浄水通路２１２は途中で分岐して上記透析液供給手段２０３および上記洗浄液供給手段２３１に接続されている。
透析液を流通させる透析液通路２０７には、各透析用監視手段２０２に向けて分岐された透析液分岐通路２０８が接続され、該透析液分岐通路２０８には上記切換手段２３２が設けられている。また透析液通路２０７の下流端には流量調整弁２１７および開閉弁２１８が設けられている。
洗浄液供給手段２３１は透析用監視手段２０２を洗浄するための洗浄液の原液を貯留する洗浄液タンク２３１ａを備え、洗浄液供給手段２３１はこの洗浄液タンク２３１ａの洗浄液の原液と上記浄水供給手段２０５からの浄水とを混合させて洗浄液を調整するようになっている。
また、洗浄液供給手段２３１には洗浄液を流通させる洗浄液通路２３３が接続されており、この洗浄液通路２３３は各透析用監視手段２０２に向けて洗浄液分岐通路２３４が分岐して設けられ、この洗浄液分岐通路２３４は上記切換手段２３２に接続されている。
【００１８】
また浄水供給手段２０５には浄水を流通させるすすぎ水通路２３５が接続され、このすすぎ水通路２３５はループ配管となっており、一端は上記浄水通路２１２に接続され、他端は浄水供給手段２０５に接続されている。
上記すすぎ水通路２３５には各透析用監視手段２０２に向けてすすぎ水分岐通路２３６が分岐して設けられ、このすすぎ水分岐通路２３６は上記切換手段２３２に接続されている。
さらに、上記すすぎ水通路２３５には浄水供給手段２０５とともにすすぎ水供給手段を構成する送液ポンプ２３７が設けられており、該送液ポンプ２３７によって、浄水がすすぎ水通路２３５に送液されるようになっている。
送液された浄水はすすぎ水通路２３５を流通して浄水供給手段２０５に還流した後、再び浄水供給手段２０５で清浄処理され、浄水通路２１２を介してすすぎ水通路２３５に流通するようになっている。
このように、すすぎ水通路２３５をループ配管とすることで浄水をすすぎ液通路２３５内で停滞させることなく、透析治療を行う間も循環させて流通状態とすることができるので、すすぎ水通路２３５内でのバイオフィルムの発生が防止され、雑菌の繁殖を防止することができる。
なお、すすぎ水分岐通路２３６では、透析中は浄水の流通がなく停滞することで、上記すすぎ水分岐通路２３６の全長は極力短くすることが望ましく、すすぎ水分岐通路２３６に滞留する浄水の量を極力少なくすることが望ましい。
【００１９】
図５に示すように、上記切換手段２３２は上記透析液分岐通路２０８に設けられた２つの電磁弁２３８，２３９と、洗浄液分岐通路２３４に設けられた２つの電磁弁２４０，２４１と、すすぎ水分岐通路２３６に設けられた２つの電磁弁２４２，２４３とから構成されている。
上記洗浄液分岐通路２３４は上記透析液分岐通路２０８における下流側の電磁弁２３９と透析用監視手段２０２との間に接続され、上記すすぎ水分岐通路２３６は上記洗浄液分岐通路２３４における電磁弁２４０と電磁弁２４１との間に接続されている。
このような構成により、透析液通路２０７の透析液を透析用監視手段２０２に供給する場合には、上記透析液分岐通路２０８の電磁弁２３８，２３９を開放し、上記洗浄液分岐通路２３４の電磁弁２４０，２４１およびすすぎ水分岐通路２３６の電磁弁２４２，２４３を閉鎖するようになっている。
また洗浄液通路２３３の洗浄液を透析用監視手段２０２に供給する場合には、上記洗浄液分岐通路２３４の電磁弁２４０，２４１を開放し、上記透析液分岐通路２０８の電磁弁２３８，２３９およびすすぎ水分岐通路２３６の電磁弁２４２，２４３を閉鎖するようになっている。
そしてすすぎ水通路２３５の浄水を透析用監視手段２０２に供給する場合には、上記上記洗浄液分岐通路２３４における下流側の電磁弁２４１と、上記すすぎ水分岐通路２３６の電磁弁２４２，２４３とを開放し、透析液分岐通路２０８の電磁弁２３８，２３９と、洗浄液分岐通路２３４の上流側の電磁弁２４０を閉鎖するようになっている。
このように、各分岐通路２０８、２３４、２３６に２つずつ電磁弁を設けることにより、電磁弁の故障により不要な液が流通することを防止することができる。
【００２０】
以上の構成を有する透析システム２０１の動作について説明する。
まず、上記第１実施例と同様、透析液供給手段２０３で透析液が調整されて透析液通路２０７に供給される。上記切換手段２３２は透析液分岐通路２０８を介して透析液を透析用監視手段２０２に供給するように切り換えられており、透析液が透析用監視手段２０２に供給されて、透析治療が行われる。
そして全ての透析用監視手段２０２において透析治療が行われている間、洗浄液供給手段２３１では洗浄液が調整され洗浄液通路２３３に供給され、すすぎ水通路２３５には送液ポンプ２３７により浄水が引き込まれて、すすぎ水通路２３５を循環させている。
このように、すすぎ水通路２３５をループ配管として、浄水を循環させることで、すすぎ水通路２３５内では浄水が停滞することによる雑菌等の発生を防止することができる。
【００２１】
そして、透析治療が終了した透析用監視手段２０２ごとに洗浄および消毒を実施する場合は、透析治療が終了した透析用監視手段２０２から順次、対応する切換手段２３２を切り換えて、洗浄液分岐通路２３４を透析液分岐通路２０８に接続し、洗浄液通路２３３の洗浄液を透析用監視手段２０２に供給する。
透析用監視手段２０２では洗浄液によって内部回路が洗浄および消毒され、洗浄液は排液通路２１３を介して排液される。
次に、切換手段２３２を切り換えて、すすぎ水分岐通路２３６を透析液分岐通路２０８に接続し、すすぎ水通路２３５の浄水を透析用監視手段２０２に供給する。
透析液監視手段２０２では浄水により内部回路がすすぎ流されて洗浄液の洗浄成分が除去され、すすいだ浄水は排液通路２１３を介して排液される。
なお、使用する洗浄液によっては透析液と反応するものもあるので、洗浄液分岐通路２３４を透析液分岐通路２０８に接続して透析用監視手段２０２に洗浄液を供給する前に、すすぎ水分岐通路２３６を透析液分岐通路２０８に接続して透析用監視手段２０２に浄水を供給し、予め内部回路に残留する透析液を洗い流して浄水に置換するようにしてもよい。
そして、全ての透析用監視手段２０２での透析治療が終了すると、透析液供給手段２０３で洗浄液を調整し、全ての液通路および透析用監視手段２０２を対象に洗浄および消毒を実施する。
【００２２】
なお、上記第１、第２実施例における切換手段は三方弁６、１０６としていたが、これを第３実施例の切換手段２３２のような構成としてもよい。
具体的には、図６に示すように透析液分岐通路８（１０８）に２つの電磁弁５１，５２を設け、また熱水分岐通路１０（１１０）に２つの電磁弁５３，５４を設けた構成とすることができる。
このような構成においては、透析用監視手段２（１０２）に透析液を供給する場合には上記透析液分岐通路８（１０８）の電磁弁５１，５２を開放して熱水分岐通路１０（１１０）の電磁弁５３，５４を閉鎖し、透析用監視手段２（１０２）に熱水を供給する場合には上記熱水分岐通路１０（１１０）の電磁弁５３，５４を開放して透析液分岐通路８（１０８）の電磁弁５１，５２を閉鎖すればよい。
また、上記第３実施例のような構成を有する透析システム２０１であっても、上記第２実施例のように透析用監視手段の台数に応じて透析液通路を分岐させ、分岐した各透析液通路のそれぞれに１本ずつ透析液分岐通路を分岐させるようにしてもよい。
さらに、図１、図３に破線で示すように、上記透析液供給手段３，１０３のＡ原液タンク１４，１１４と上記熱水供給手段４、１０４とを接続し、熱水にＡ原液を混合して、これを熱水通路９、１０９に供給する構成としてもよい。
このような構成とすることで、透析治療中に三方弁６，１０６や電磁弁５３，５４が故障して熱水が透析液分岐通路８，１０８に混入する事態が発生しても、透析液の濃度の低下を抑えることができ、患者に与えるダメージを抑えることができる。
【図面の簡単な説明】
【００２３】
【図１】第１実施例にかかる透析システムの回路図。
【図２】熱水供給手段の構成を示す回路図。
【図３】第２実施例にかかる透析システムの回路図。
【図４】第３実施例にかかる透析システムの回路図。
【図５】切換手段についての回路図。
【図６】切換手段についての回路図。
【符号の説明】
【００２４】
１，１０１，２０１  透析システム    ２，１０２，２０２  透析用監視装置
３，１０３，２０３  透析液供給手段  ４，１０４  熱水供給手段
６，１０６  三方弁                  ７，１０７，２０７  透析液通路
８，１０８，２０８  透析液分岐通路  ９，１０９  熱水通路
１０，１１０  熱水分岐通路          ２２  加熱手段
２０５  すすぎ水供給手段            ２３１  洗浄液供給手段
２３２  切換手段                    ２３３  洗浄液通路
２３４  洗浄液分岐通路              ２３５  すすぎ水通路
２３６  すすぎ水分岐通路
【図１】
0005354319.tif 000002
【図２】
0005354319.tif 000003
【図３】
0005354319.tif 000004
【図４】
0005354319.tif 000005
【図５】
0005354319.tif 000006
【図６】
0005354319.tif 000007